(57)【特許請求の範囲】
【請求項１】
光触媒担持脱臭フィルタと、
前記光触媒担持脱臭フィルタを活性化させるために前記光触媒担持脱臭フィルタに向けて光を発する光源と、
前記光源を駆動させる駆動回路と、
前記光源から発する電磁波ノイズを除去するために接地されている金属体とを備えた空気清浄器において、
前記金属体は前記光触媒担持脱臭フィルタと前記光源と前記駆動回路を包囲する閉鎖構造であることを特徴とする空気清浄器。
【請求項２】
前記光源は光照射部を有し、前記光照射部と前記金属体が接触していることを特徴とする請求項１に記載の空気清浄器。
【請求項３】
前記駆動回路と前記金属体が接触していることを特徴とする請求項１又は２に記載の空気清浄器。
【発明の詳細な説明】
【０００１】
【発明の属する技術分野】
本発明は光触媒担持脱臭フィルタを備えた空気清浄器に関する。
【０００２】
【従来の技術】
従来、汚れ物質を分解して除去する脱臭フィルタとして光触媒を担持したフィルタ（以下、光触媒担持脱臭フィルタと称す）を有する空気清浄器は、光触媒を活性化させるために紫外線等の光（以下、単に光と称す）を発する光源（以下単に光源と称す）と、この光源を駆動させる回路（以下、単に駆動回路と称す）とを備えている。ところで、光源から発する電磁波ノイズは、空気清浄器の外部のラジオやテレビに伝播して音声や映像を悪化させるなどの悪影響をもたらすことがある。この電磁波ノイズを外部に漏れないようにするために、図１に示すように、光源１を包囲するように金属体５を配置させる方法が公知である。
【０００３】
しかしながら、光触媒担持脱臭フィルタ２に対して照射されるべき光の一部が金属体５によって遮られてしまうため、フィルタ２の光触媒を十分に活性化させることができないという問題があった。
【０００４】
【発明が解決しようとする課題】
上記問題点を鑑みて、本発明の目的は、光触媒担持脱臭フィルタに対する光照射量を確保しつつ、光源からの電磁波ノイズを外部に漏らさない空気清浄器を提供することを目的とする。
【０００５】
【課題を解決するための手段】
本発明の請求項１に係る空気清浄器によれば、光触媒担持脱臭フィルタと、光触媒担持脱臭フィルタを活性化させるために光触媒担持脱臭フィルタに向けて光を発する光源と、光源を駆動させる駆動回路と、光源から発する電磁波ノイズを除去するために接地されている金属体とを備えた空気清浄器において、金属体は光触媒担持脱臭フィルタと光源と駆動回路を包囲する閉鎖構造である。これにより、光源から発せられる光は、直接的に光触媒担持脱臭フィルタに対して照射されることにより、光触媒担持脱臭フィルタに対する光照射量を確保すると共に、光源から発せられる電磁波ノイズは、接地された金属体を通過しえないので、電磁波ノイズが空気清浄器の外部に漏れることがない。
【０００６】
請求項２に係る空気清浄器によれば、請求項１に係る空気清浄器において、光源は光照射部を有し、光照射部と金属体が接触している。これにより、光源の光照射部で発生した熱が金属体を通して金属体の外部へ放出され、光源の寿命を延ばすというさらなる効果を奏する。
【０００７】
請求項３に係る空気清浄器によれば、請求項１又は２に係る空気清浄器において、駆動回路と金属体が接触している。これにより、駆動回路で発生した熱が金属体を通して金属体の外部へ放出され、駆動回路の寿命を延ばすというさらなる効果を奏する。
【０００８】
【発明の実施の形態】
以下、本発明の実施の形態を添付図面を参照して説明する。最初に本発明の第一実施例について説明する。図２は本発明の第一実施例の空気清浄器の断面図であり、図３は本発明の第一実施例の空気清浄器の分解斜視図である。図２及び図３において、１は光源としての水銀ランプ、２は酸化チタンからなる光触媒を担持した光触媒担持脱臭フィルタ、３は除塵フィルタ、４は光源を駆動する光源駆動回路を収納する筐体、５は金属体、６は電源コネクタ、７は送風ファン、８は空気通路、１０は空気清浄器をそれぞれ示している。
【０００９】
最初に空気清浄器１０の構成について説明する。空気清浄器１０の内部において、空気通路８が吸込口１１から吹出口１２まで延びている。空気通路８の内部には、上流から、送風ファン７と、除塵フィルタ３、水銀ランプ１、光触媒担持脱臭フィルタ２が配置されている。本実施例では、除塵フィルタ３、水銀ランプ1及び光触媒担持脱臭フィルタ２は金属ケース５に収納されている。
【００１０】
金属ケース５の構成について説明する。金属ケース５は、例えば、鋼やステンレス鋼からなり、図３に示すように、第一側部材５ａと、第二側部材５ｂと、第三側部材５ｃと、第四側部材５ｄとで構成されている。第一側部材５ａは、空気通路の一方の側部と空気通路の上部を構成するL字状の板部材であり、第二側部材５ｂは、空気通路の他方の側部と空気通路の下部を構成する。第三側部材５ｃは、空気通路の下流側開口部に対応する後側部を構成し、空気を流すためにメッシュ状になっている。第四側部材５ｄは、空気通路の上流側開口部に対応する前側部を構成し、空気を流すためにメッシュ状になっている。これら側部材５ａ、５ｂ、５ｃ、５ｄが組み付けられることにより、直方体形状の閉鎖した構造の金属ケース５となる。また、金属ケース５は接地されているため、金属ケース５の内部で発生した電磁波ノイズは金属ケース５を通って外部に伝播することがない。
【００１１】
金属ケース５の内部には、水銀ランプ１の光を効率的にフィルタ２に照射させるために、水銀ランプ１と光触媒担持脱臭フィルタ２が隣接して互いに平行に配置されている。また、空気通路８に隣接して筐体４が配置されており、この筐体４には、水銀ランプ１を駆動するための光源駆動回路６が収納されている。さらに、図３に示すように、空気清浄器外部から水銀ランプ１に電気が送られるように、駆動回路６に接続されている電源コネクタ９が筐体４に設けられた穴を通って外部に突出している。
【００１２】
このような構成により、光源と光触媒担持脱臭フィルタの間には何もないので、光源から発せられる光は、遮られることなく光触媒担持脱臭フィルタに照射されるため、光触媒を十分に活性化させることができ、かつ、光源からの電磁波ノイズを金属ケース内、すなわち空気清浄器の外部に漏れるのを防止することができる。
【００１３】
また、水銀ランプ１の照射部を金属ケース５に当接させることにより、水銀ランプ１で発生する熱を金属ケース５を通して外部に放出し、水銀ランプ１の放熱効果を促進することも可能である。これにより、水銀ランプ１の寿命を延ばすというさらなる効果を奏する。この場合、図２に示すように、水銀ランプ１の照射部の構成を平面状とし、この平面状の照射部全体に対して、金属ケース５に接続した金属部材５ｅを当接させて大きな接触面積を得ることにより、放熱効果を大きくさせることも可能である。
【００１４】
また、光駆動回路６で発生する熱を金属ケース５を通して外部に通して放出することも可能である。これにより、光駆動回路６の寿命を延ばすというさらなる効果を奏する。なお、水銀ランプ１又は光駆動回路６と金属ケース５を接触させる場合には、両者の電気的絶縁を保証するために絶縁シート等の絶縁体を介挿することが好ましい。
【００１５】
次に第二の実施例について説明する。図４は本発明の第二の実施例の空気清浄器の断面図である。第一の実施例では、除塵フィルタ３は金属ケース５の内部に配置されているが、除塵フィルタ３が金属ケース５の外部に配置されていてもよい。
【００１６】
次に第三の実施例について説明する。図５は本発明の第三の実施例の空気清浄器の断面図である。第一実施例及び第二実施例では、水銀ランプ１が空気通路８を横断方向全体に配置されているが、空気通路８の通風抵抗を低減するために、水銀ランプの長手方向長さを短くすることにより、空気通路８の断面積を大きくし、空気清浄器の通風抵抗を低減することができる。当然、第四の実施例として、図６に示すように、除塵フィルタ３を金属ケース５の外部に配置する構成でも適用できる。
【００１７】
光源としては水銀ランプを例にとって説明したが、水銀ランプ以外に冷陰極管、ブラックライト、キセノン管、白色灯など各種ランプを使用することも可能である。また、光触媒担持フィルタ中の光触媒は、酸化亜鉛、三酸化タングステン、酸化セリウムなどの金属酸化物でもよい。
【図面の簡単な説明】
【図１】従来の光触媒担持脱臭フィルタを示す模式図である。
【図２】本発明の第一の実施例の空気清浄器の断面図である。
【図３】本発明の第一の実施例の空気清浄器の分解斜視図である。
【図４】本発明の第二の実施例の空気清浄器の断面図である。
【図５】本発明の第三の実施例の空気清浄器の断面図である。
【図６】本発明の第四の実施例の空気清浄器の断面図である。
【符号の説明】
１…光源
２…光触媒担持脱臭フィルタ
５…金属体
６…光源駆動回路
１０…空気清浄器
【図１】
0003838117.tif 000002
【図２】
0003838117.tif 000003
【図３】
0003838117.tif 000004
【図４】
0003838117.tif 000005
【図５】
0003838117.tif 000006
【図６】
0003838117.tif 000007